(57)【要約】【課題】遊技機の裏面側に配置された制御基板を効率良く十分に冷却することが可能な冷却機構を有する遊技機を提供する。【解決手段】遊技機１において、液体１５Ａを収容した液体容器１５Ｂが遊技機の表面側に配置された液体演出装置１５と、遊技機の裏面側に配置されて遊技機を制御する制御基板３４と、制御基板に併設されると共に液体容器に繋げた配管９１，９２を介して液体容器内の液体が循環して、制御基板を冷却するウォータージャケット９０と、液体容器内の液体を液体容器とウォータージャケットとの間で循環させるポンプＰと、を備える。【選択図】図６
2010240277.tif 000002
【特許請求の範囲】
【請求項１】
液体を収容した液体容器が遊技機の表面側に配置された液体演出装置と、
前記遊技機の裏面側に配置されて前記遊技機を制御する制御基板と、
前記制御基板に併設されると共に前記液体容器に繋げた配管を介して前記液体容器内の液体が循環して、前記制御基板を冷却するウォータージャケットと、
前記液体容器内の液体を前記液体容器と前記ウォータージャケットとの間で循環させるポンプと、
を備えることを特徴とする遊技機。
【請求項２】
前記液体演出装置は、前記液体容器内の液体に気泡を発生させる気泡発生手段を備えていることを特徴とする請求項１に記載の遊技機。
【発明の詳細な説明】
【技術分野】
【０００１】
本発明は遊技機に関し、特に、遊技機を制御する制御基板の冷却構造を有する遊技機に関するものである。
【背景技術】
【０００２】
従来、遊技機には、その遊技状態の制御を行ったり、搭載された液晶表示装置やランプ、スピーカ、可動役物等の周辺装置を制御したりするための制御装置が備えられている。このような遊技機においては、近年、遊技機に搭載される液晶表示装置が大型化してその画像表示制御に多大な処理能力が必要になる等、制御装置に対する負荷が増大する傾向にある。これに伴い、制御装置内の制御基板からの発熱も増大する傾向にあり、制御基板の発熱によって制御装置が誤作動を起こす可能性がある等、問題となっている。
【０００３】
そこで、この制御基板の発熱防止対策として、冷却機構により制御基板の冷却を行う必要がある。ここで、制御基板の冷却機構としては、所謂液冷式タイプの冷却機構がある。そして、液冷式の冷却機構として、制御基板を液体（絶縁性液体）に浸し、液体を冷却する放熱部が、制御基板を内部に収容する基板ケースに設けられたものが提案されている（例えば、特許文献１参照）。
【先行技術文献】
【特許文献】
【０００４】
【特許文献１】特開２００３−２３６１９５号公報
【発明の概要】
【発明が解決しようとする課題】
【０００５】
ここで、前記したような遊技機は、制御基板が遊技機の裏面側に配置された構造となっている。また、遊技店においては、通常、店内の通路に沿って複数台の遊技機が背中合わせで設置されている。そのため、遊技店における遊技機の裏面側は、背中合わせに設置された複数台の遊技機からの発熱により、熱が籠もりやすい状態となる場合が多い。そのような状態の遊技機の裏面側に、前記した特許文献１に記載したように冷却機構を配置して制御基板を冷却しようとしても、その冷却機構において制御基板からの発熱を吸収した液体の放熱を行うことが困難であるため、熱を持った冷却機構自体の冷却が効率良く行えない可能性が高く、その結果、制御基板の冷却も十分に行えない虞がある。
【０００６】
本発明は、このような事情に鑑みてなされたものであり、遊技機の裏面側に配置された制御基板を効率良く十分に冷却することが可能な冷却機構を有する遊技機を提供することを目的とする。
【課題を解決するための手段】
【０００７】
かかる課題を解決するために、本発明の請求項１に記載の発明は、遊技機の表面側に液体容器が配置された液体演出装置と、遊技機の裏面側に配置された制御基板と、制御基板を冷却するウォータージャケットと、を備え、ポンプによって、遊技機の表面側に配置された液体容器と遊技機の裏面側に配置されたウォータージャケットとの間で、制御基板の冷却用の液体を循環させる遊技機としたことを特徴とする。
【０００８】
請求項１に係る発明によれば、遊技機の裏面側よりも温度が低い遊技機の表面側に配置された液体容器内の液体を、遊技機の裏面側に配置されたウォータージャケットに供給し、供給された液体で制御基板を冷却した後、その液体を再び、温度が高い遊技機の裏面側のウォータージャケットから、温度が低い遊技機の表面側の液体容器に戻して液体を冷却させる、というように液体を循環させることで、制御基板の冷却に使用する液体を、効率良くかつ十分に冷却することができる。これにより、発熱した制御基板を効率良くかつ十分に冷却することができる。
【０００９】
しかも、循環させる液体として、遊技の演出に使用する液体演出装置の液体容器内の液体を使用するため、制御基板の冷却のために全て専用の部品を用意する場合に比べて、専用に配置する部品点数を少なくすることができ、遊技機内の構成を効率良く使用した遊技機とすることができる。
【００１０】
また、本発明の請求項２に記載の発明は、請求項１に記載の発明に加え、液体演出装置が、液体容器内の液体に気泡を発生させる気泡発生手段を備えていることを特徴とする。
【００１１】
請求項２に係る発明によれば、請求項１に記載の発明における効果に加え、液体に発生させる気泡により液体演出装置の演出をより向上させることができる。また、液体内に気泡を入れることで、その気泡による空冷効果が得られ、液体をより効率良く冷却することができる。
【図面の簡単な説明】
【００１２】
【図１】本発明の実施の形態における遊技機の正面図である。
【図２】同遊技機の右側面図である。
【図３】同遊技機の前面カバー部材を開いた状態の平面図である。
【図４】同遊技機の裏面図である。
【図５】同遊技機の前面カバー部材を外した状態の背面カバー部材を示す正面図である。
【図６】同遊技機の制御基板の冷却機構を模式的に示す正面図である。
【図７】同遊技機の制御基板とウォータージャケットを示す縦断面図である。
【発明を実施するための形態】
【００１３】
以下、本発明の実施の形態における遊技機について図面を参照しながら説明する。
【００１４】
まず、本発明の実施の形態における遊技機全体の概略構成について図１乃至図４に基づき説明する。図１は、本発明の実施の形態における遊技機の正面図であり、図２は、同遊技機の右側面図であり、図３は、同遊技機の前面カバー部材を開いた状態の平面図であり、図４は、同遊技機の裏面図である。
【００１５】
図１乃至図４に示すように、本実施の形態における遊技機は、所定量のパチンコ球を賞球として払い出すパチンコ遊技機１である。また、本実施の形態では、図４に示すように、パチンコ遊技機１の隣りにカード式球貸機１００が配置されている。なお、図１乃至図３においては、カード式球貸機１００の図示を省略している。
【００１６】
このパチンコ遊技機１は、木製の前枠３が、前枠取付用ヒンジを構成する上ヒンジ４及び下ヒンジ５を介して、木製の外枠２に対して開閉自在に取り付けられている。そして、この前枠３のほぼ上半分の前側には、図３に示すように、合成樹脂製の前面カバー部材１０が左端縁部の上下を軸支されて開閉自在に取り付けられている。
【００１７】
また、この前面カバー部材１０のほぼ中央部には略円形の窓部１１が開設され、この窓部１１の外周縁部に形成される透明板保持枠に装着されたガラスやアクリル等の透明板を通して、液晶表示装置（ＬＣＤ）や各入賞口、障害釘等が配設された遊技領域を見ることができるように構成されている。また、前面カバー部材１０の窓部１１の上端縁部には、フルカラーの発光ダイオード（ＬＥＤ）が内蔵され、「当たり」等の発生を報知したり遊技中に光演出をする電飾ランプ１２が取り付けられている。また、電飾ランプ１２の左右外側には、遊技中のエラーを表示する各エラー表示ランプ１３が取り付けられている。
【００１８】
また、前面カバー部材１０の裏側には、この前面カバー部材１０の裏側を覆う正面視略四角形の背面カバー部材１４（図５参照）がネジ止めにより取り付けられている。また、後述するように、この背面カバー部材１４の前面側の窓部１１の周縁部の左右上方に対向する位置には、絶縁性の液体からなる透光性液体１５Ａが満たされた正面視略逆三角形状で透光性材料（例えば、ポリエチレンテレフタレート（ＰＥＴ）、ポリプロピレン（ＰＰ）等）で形成される各液体容器１５Ｂが配設されている（図５参照）。そして、電飾ランプ１２の左右の窓部１１周辺に設けられた透明な蓋部材としての合成樹脂製の各カバー部材１６Ａ〜１６Ｄを介して各液体容器１５Ｂを見ることができるように構成されている。
【００１９】
また、前面カバー部材１０の下側には、パチンコ球の払い出しを調節する払い出しソレノイド等が内装された賞球ケース１７を介して払い出される賞球を受ける上皿６がスピーカ６Ａを内蔵して合成樹脂製プレート７に配設されている。また、このプレート７は、左端縁部の上下を軸支されて、前面カバー部材１０を開放後、内側に設けられた不図示のレバーを下げることにより開放できるように取り付けられている。
【００２０】
また、この上皿６の中央前面部には、カード式球貸機１００の操作ボタン６Ｂ、６Ｃ及びカード残高表示装置６Ｄが設けられている。そして、その上皿６の下には、下皿８が配設される。また、上皿６に連通する不図示の球送り機構を介して上皿６のパチンコ球が操作ハンドル９に連結された発射装置９Ａへ送られるように構成されている。
【００２１】
また、この前枠３のほぼ中央部には遊技盤（不図示）が着脱自在なように鉄板等の金属製の機構盤１８が取り付けられている。そして、この機構盤１８の裏側には合成樹脂製の機構セット盤２０が開閉自在に蝶番により取り付けられている。
【００２２】
また、パチンコ遊技機１の裏側上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に連通孔２１Ａが形成され、その連通孔の下方にはパチンコ球を１列に整列流出し、賞球ケース１７にパチンコ球を送る通路を形成するタンクレール２３が取り付けられている。
【００２３】
また、賞球ケース１７へパチンコ球を案内する賞球案内部２４内には、タンクレール２３の下流側のパチンコ球を送る１列の賞球通路が形成されている。
【００２４】
また、賞球ケース１７内には、賞球案内部２４内の賞球通路を通過するパチンコ球を確認する球有り検出スイッチやパチンコ球の払い出しを調節する払い出しソレノイドが内装されている。そして、これら賞球タンク２１、タンクレール２３、賞球案内部２４、賞球ケース１７等により賞球及び貸球の払い出しシステムが構成されている。
【００２５】
そして、賞球ケース１７の下流側には排出部が形成され、入賞球を排出する入賞球排出通路２６及び下皿オーバーフロースイッチ（不図示）が内装された下皿排出路２７が下端部下方に形成されている。また、この下皿排出路２７を介して上皿６から溢れた賞球を受けて下皿８に案内する下部受皿ボックス２８が前枠３の裏側に取り付けられている。
【００２６】
また、タンクレール２３の下側には液晶表示装置（ＬＣＤ）等をカバーする合成樹脂製のセンターカバー３０が取り付けられている。そして、このセンターカバー３０の背面部内側には、ＬＣＤ等を駆動制御する表示制御基板３１、スピーカ６Ａ等を駆動制御する音制御基板３２、電飾ランプ１２やエラー表示ランプ１３等を駆動制御するランプ制御基板３３が取り付けられている。
【００２７】
また、センターカバー３０の下側には、パチンコ遊技機１の遊技動作を制御する主制御基板３４が内蔵される基板ケース３５が配設されている。本実施の形態の主制御基板３４は、この基板ケース３５内において、図７に示すように、主制御基板３４を冷却するためのウォータージャケット（本発明では、水以外の液体を使用する場合にもこの名称を用いることとする）９０に、ＣＰＵを含めた大部分が囲まれた状態で配置されており、電気配線と接続するために上端部に形成されたコネクタ部４３が、ウォータージャケット９０の外側に突出している。このウォータージャケット９０内は、所定量の透光性液体１５Ａで満たされている。また、詳しくは後述するが、ウォータージャケット９０の下部と上部にはそれぞれ、液体容器１５に繋がる配管９１，９２が接続されている。
【００２８】
また、この基板ケース３５の右下には電源基板３６が内蔵される電源基板ケース３７が配設されている。また、この電源基板ケース３７の上方に配設されるインターフェース基板３８とカード式球貸機１００の背面のコネクタ３９とは、接続コード４０により相互に接続されている。
【００２９】
さらに、機構セット盤２０の上方角部（図２中、右上角部）には、中継基板４１が設けられている。この中継基板４１は、パチンコ遊技機１とホールコンピュータをつなぐ基板である。
【００３０】
また、主制御基板３４、表示制御基板３１、音制御基板３２、ランプ制御基板３３、インターフェース基板３８、中継基板４１は電源基板３６に両端部にコネクタ部４３（一部は不図示）を設けた電気配線４４によって電気的に接続されている。それにより、各基板へパチンコ遊技機１の制御に必要な各種電圧の直流電源が供給されている。
【００３１】
また、主制御基板３４は、表示制御基板３１、音制御基板３２、ランプ制御基板３３、インターフェース基板３８、中継基板４１の各サブ制御基板に対して電気信号の送信を行う為に、両端部にコネクタ部（不図示）を設けた電気配線４５によって各サブ制御基板と電気的に接続されている。これにより、主制御基板は各サブ制御基板に対して指令を送信し、制御することが可能となる。
【００３２】
次に、液体演出装置１５及びウォータージャケット９０の構成について図５乃至図７に基づいて詳細に説明する。図５は、本発明の実施の形態における遊技機の前面カバー部材を外した状態の背面カバー部材を示す正面図であり、図６は、同遊技機の制御基板の冷却機構を模式的に示す正面図であり、図７は、同遊技機の制御基板とウォータージャケットを示す縦断面図である。
【００３３】
図５及び図６に示すように、背面カバー部材１４は、前面カバー部材１０の外周縁部の内側に嵌入されるように正面視略四角形で前面側が開放される略箱形に形成されている（図３参照）。また、背面カバー部材１４の前記前面カバー部材１０の窓部１１に対向する背面部には、この窓部１１とほぼ同形状の開口部４５が開設されている。また、この開口部４５の左右斜め上側には、各液体容器１５Ｂが配置されており、さらにその外側には、後述の長四角形の光拡散板６１と長手方向にＬＥＤが配設されるＬＥＤ基板６２とが装着された照明手段が配置されていて、これらと後述する気泡発生手段等により、本実施の形態の液体演出装置（所謂ウォーターランプ）１５を形成している。
【００３４】
また、開口部４５の左下側には、各液体容器１５Ｂ内にエアーを送るエアーポンプ５５（図５参照）が配置されている。各液体容器１５Ｂの上端面には、各エアーチューブ挿入口７７及び各排気口７８が形成されており、ここからこの液体容器１５Ｂに透光性液体１５Ａを充填するようになっている。そして、各液体容器１５Ｂの左右方向外側端面部には、照明手段の光拡散板６１を当接させるようになっており、この光拡散板６１の左右方向外側に対向するように照明手段のＬＥＤ基板６２が配置されるようになっている。
【００３５】
そして、エアーポンプ５５のエアー供給口には、エアーチューブ７６の一端側を接続されており、また、このエアーチューブ７６の他端側は、二股に分かれており、それぞれの端部は、各液体容器１５Ｂの上端面に形成されるエアーチューブ挿入口７７からこの液体容器１５のほぼ底面近傍まで挿入されている。
【００３６】
また、各液体容器１５Ｂの上端面に形成される排気口７８には、それぞれ排気チューブ７９の一端が接続されている。そして、この各排気チューブ７９の他端側は、ソレノイドを用いた蓋機構７０の上側にて、二股ストロー８０の二股部の各一端部に接続されている。一方、この二股ストロー８０の他端部は、蓋機構７０の上端部に挿入されて、閉塞されている。
【００３７】
以上のような、エアーポンプ５５、エアーチューブ７６、各排気チューブ７９、二股ストロー８０、及びソレノイドを用いた蓋機構７０により、液体演出装置１５における気泡発生手段を構成している。
【００３８】
次に、上記のように構成された前面カバー部材１０の各液体容器１５Ｂ内に気泡を発生させる駆動制御について図５及び図６に基づいて説明する。尚、図６には左側の液体容器１５Ｂ内に気泡が発生する状態を示しているが、右側に配置される液体容器１５Ｂ内にも同様に気泡が発生する。
【００３９】
図５及び図６に示すように、パチンコ遊技機１が起動された場合は、エアーポンプ５５に通電されると共に、蓋機構７０のソレノイドへ通電される。これにより、エアーポンプ５５から供給されるエアーは、エアーチューブ７６を介して各液体容器１５Ｂの底部近傍に排気され、各液体容器１５の透光性液体１５Ａ内に下から上昇する気泡が発生する。また、ソレノイドに通電された場合は、ソレノイド軸がソレノイドキャップの弾性力に抗して吸引され、二股ストロー８０の他端部は大気に開放される。このため、エアーチューブ７６の他端側から透光性液体１５Ａ内に供給されるエアーは、各液体容器１５Ｂの排気口７８に一端側が接続される排気チューブ７９及び二股ストロー８０を介して大気中に排気される。
【００４０】
また、パチンコ遊技機１が起動された場合は、各ＬＥＤ基板６２が起動され、このＬＥＤ基板６２上に配置されるフルカラーの各ＬＥＤ６２Ａが点灯駆動され、各光拡散板６１を介して透光性液体１５Ａ内の気泡が照らされて、遊技者は透明な各カバー部材１６Ａ〜１６Ｄを介してこの気泡が上昇する状態を見ることができる。
【００４１】
一方、パチンコ遊技機１の電源がＯＦＦの場合は、エアーポンプ５５、蓋機構７０、及び各ＬＥＤ基板６２は通電されず、駆動されない。これにより、ソレノイドは通電されないため、二股ストロー８０の他端側は、ソレノイドゴム７３によって閉塞され、各液体容器１５Ｂ内の透光性液体１５Ａの蒸発を防止できるようになっている。
【００４２】
ここで、本実施の形態では、液体演出装置１５の各液体容器１５Ｂの上部の透光性液体１５Ａで満たされた箇所及び下部に、透光性液体１５Ａを通す配管９１，９２が設けられている。本実施の形態では、上部の配管９１が液体容器１５Ｂから透光性液体１５Ａを外部へ流出させる配管になっており、下部の配管９２が液体容器１５Ｂに透光性液体１５Ａを流入させる配管となっている。
【００４３】
そして、液体ポンプＰにより液体容器１５Ｂから吸い出された透光性液体１５Ａは、配管９１を通して液体容器１５Ｂのあるパチンコ遊技機１の表面側（温度の低い側）から裏面側（温度の高い側）に運ばれ、パチンコ遊技機１の裏面側に配設された主制御基板３４を囲むウォータージャケット９０に注入される。本実施の形態では、配管９１はウォータージャケット９０の下部に挿通されている。
【００４４】
また、液体容器１５Ｂの下部に挿通された配管９２は、ウォータージャケット９０の上部に挿通されている。そして、前記配管９１からウォータージャケット９０に注入された透光性液体１５Ａがウォータージャケット９０内を下方から上方に流れていき、その間に制御基板３４のＣＰＵ等の熱を吸収して制御基板３４を冷却する。その後、ウォータージャケット９０から出た透光性液体１５Ａは、配管９２を通ってウォータージャケット９０のあるパチンコ遊技機１の裏面側（温度の高い側）から表面側（温度の低い側）に運ばれ、再び、パチンコ遊技機１の表面側に配置された液体容器１５Ｂに注入されるようになっている。
【００４５】
以上のように、本実施の形態のパチンコ遊技機１によれば、パチンコ遊技機１の裏面側よりも温度が低いパチンコ遊技機１の表面側に配置された液体容器１５Ｂ内の透光性液体１５Ａを、パチンコ遊技機１の裏面側に配置されたウォータージャケット９０に供給し、供給された透光性液体１５Ａで主制御基板３４を冷却した後、その透光性液体１５Ａを再び、温度が高いパチンコ遊技機１の裏面側のウォータージャケット９０から、温度が低いパチンコ遊技機１の表面側の液体容器１５Ｂに戻して透光性液体１５Ａを冷却させる、というように透光性液体１５Ａを循環させることで、主制御基板３４の冷却に使用する液体を、効率良くかつ十分に冷却することができる。これにより、発熱した主制御基板３４を効率良くかつ十分に冷却することができる。
【００４６】
その結果、例えば主制御基板３４を含む制御装置の誤動作等を防止することができる。さらに、パチンコ遊技機１の表面側と裏面側とを繋ぐ配管９１，９２に液体を通すことによっても熱を吸収した透光性液体１５Ａを冷却させる効果がある。なお、配管９１，９２を放熱効果の高い素材（例えば、金属等）で構成したり、配管の途中にも放熱フィンを設けたりすると、さらに内部の透光性液体１５Ａの冷却が進み、好ましい。
【００４７】
また、本実施の形態のパチンコ遊技機１では、循環させる液体として、遊技の演出に使用する液体演出装置１５の液体容器１５Ｂ内の透光性液体１５Ａを使用するため、主制御基板３４の冷却のために全て専用の部品を用意する場合に比べて、専用に配置する部品点数を少なくすることができ、遊技機内の構成を効率良く使用したパチンコ遊技機１とすることができる。
【００４８】
また、本実施の形態のパチンコ遊技機１によれば、液体容器１５Ｂ内の透光性液体１５Ａに発生させる気泡により、液体演出装置１５の演出をより向上させることができる。また、液体内に気泡を入れることで、その気泡による空冷効果が得られ、透光性液体１５Ａをより効率良く冷却することができる。
【００４９】
また、透光性液体１５Ａを循環させることで、液体容器１５Ｂ内に水流（本実施の形態では、下から上への水流）が発生することから、その水流により気泡が揺れるように動き、より興味深い演出効果を得ることができる。また、大当りへの期待感が高いリーチ（所謂スーパーリーチ）の発生時等、液晶表示装置の画面表示が激しくなったり、激しい効果音が奏される場合には、主制御基板３４の演算負荷が通常時より増大するため、発熱量も通常時より増大する。このため、循環させている透光性液体１５Ａの温度も通常時より上がることとなり、液体演出装置１５の液体容器１５Ｂ内の透光性液体１５Ａの温度も通常時より上がることとなる。これにより、気泡の出方が通常時とは異なる出方をする（例えば、気泡の量が増える、気泡の出方が早くなる等）ようになり、遊技者の興趣を向上させる演出とすることができる。
【００５０】
なお、以上説明した各実施の形態は、本発明の理解を容易にするために記載されたものであって、本発明を限定するために記載されたものではない。
【００５１】
例えば、前記した実施の形態では、遊技機としてパチンコ遊技機を用いて説明したが、これに限るものではなく、本発明はパチスロ遊技機等の他の遊技機にも適用可能である。
【００５２】
また、本発明におけるウォータージャケットは、前記した実施の形態のものに限らず、他の形状のものでも良い。例えば、制御基板を液体に浸すものではなく、金属等の熱伝導性の高い素材で構成されてその内部に液体を通したウォータージャケットを制御基板に沿わせて制御基板の放熱を行うようなものでも良い。
【００５３】
また、本発明において、液体容器とウォータージャケットとを循環させる液体としては、適宜の液体を用いれば良い。例えば、前記した実施の形態のような、ウォータージャケット内で液体と制御基板が直接触れる構造の場合は、液体として、絶縁性オイル等の絶縁性と透光性を有する適宜の液体を用いれば良い。また、制御基板を液体に浸さないで、液体を内部に通したウォータージャケットを制御基板に沿わせて制御基板の放熱を行うような、ウォータージャケットにおいて液体と制御基板が直接触れない構造の場合は、絶縁性も問題にならないため、透光性を有する適宜の液体を用いれば良い。
【００５４】
また、前記した実施の形態では、液体容器１５Ｂとウォータージャケット９０とが配管９１，９２で繋がれていて、この間を透光性液体１５Ａが循環するようになっていたが、これに限るものではなく、遊技機の表面側に放熱フィンを備えた液体タンクを設けておき、液体容器１５Ｂとウォータージャケット９０との間に、透光性液体１５Ａを一旦液体タンクに通すようになっていても良い。このようにすることで、より液体の冷却効果を上げることができる。
【００５５】
また、前記した実施の形態では、ウォータージャケット９０が主制御基板３４を囲むように設けられていたが、これに限るものではない。例えば、ウォータージャケットが他の制御基板の周りに設けられていても良いし、複数の制御基板の周りにウォータージャケットが設けられていても良い。特に、発熱し易い制御基板や、発熱時に温度が特に高くなりがちな制御基板の周りにウォータージャケットを設けるのが好ましい。
【符号の説明】
【００５６】
１…パチンコ遊技機（遊技機）、１５…液体演出装置、１５Ａ…透光性液体（液体）、１５Ｂ…液体容器、３４…主制御基板（制御基板）、９０…ウォータージャケット、９１，９２…配管、Ｐ…液体ポンプ（ポンプ）
【図１】
2010240277.tif 000003
【図２】
2010240277.tif 000004
【図３】
2010240277.tif 000005
【図４】
2010240277.tif 000006
【図５】
2010240277.tif 000007
【図６】
2010240277.tif 000008
【図７】
2010240277.tif 000009